(57)【要約】      （修正有）【課題】商品支持部材を、パネル壁の水平溝に迅速かつスムースに装着でき、この装着時における商品支持部材の撓み変形を防止しながら、商品や陳列棚を安定的に支持可能にする商品陳列装置の提供。【解決手段】前方に開口する複数の水平溝が、直方形の係止ブロック５１の上部を案内する上部案内溝２１と、この上部案内溝２１に連続して係止ブロック５１上部の一角部を係止可能にする係止溝２２と、係止ブロック５１の係止溝に対する係止時に係止ブロック５１下端を収納可能に支持する収納溝２３と、を備える構成である。【選択図】図６
0003117277.tif 000002
【実用新案登録請求の範囲】
【請求項１】
前方に開口する複数の水平溝を持つパネル壁と、
前記水平溝内に装着可能な直方形の係止ブロックを一端に持ち、前記装着時に前記パネル壁に対し水平に延びる商品支持部材と、
を備える商品陳列装置であって、
前記水平溝が、
前記係止ブロック上部を案内する上部案内溝および該上部案内溝に連続して設けられ、前記係止ブロック上部の一角部が係止可能な係止溝と、
前記係止ブロック上部の前記係止溝に対する係止時に、前記係止ブロック下端を収納可能状態にて支持する収納溝と、
を備えることを特徴とする商品陳列装置。
【請求項２】
前記パネル壁の上縁に、トップカバーに設けられた一対のフック条または係止溝に嵌合可能な一対の係止溝またはフック条を備えることを特徴とする請求項１に記載の商品陳列装置。
【請求項３】
前記パネル壁の下縁に、ボトムカバーに設けられた一対の係止溝またはフック条に嵌合可能な一対のフック条または係止溝を備えることを特徴とする請求項１に記載の商品陳列装置。
【請求項４】
前記パネル壁の上縁および下縁には、このパネル壁の上部および下部に連設される他のパネル壁の一対のフック条または係止溝に嵌合可能な、一対の係止溝またはフック条を備えることを特徴とする請求項１に記載の商品陳列装置。
【考案の詳細な説明】
【技術分野】
【０００１】
本考案は、垂直に設立されたパネル壁に装着した陳列具を用いて、商品を陳列するための商品陳列装置に関する。
【背景技術】
【０００２】
デパートや商店で売り出し商品などを展示するのに、顧客が歩く通路などに沿って商品陳列棚が配置される場合がある。この商品陳列棚による商品（陳列物）の展示タイプとして壁掛けタイプと棚置きタイプがある。これらのうち壁掛けタイプの商品陳列棚では、商品支持部材としてパネル壁上のレールや係止孔などに陳列用ハンガーを係止させる。一方、棚置きタイプの商品陳列棚では、商品支持部材としてパネル壁上のレールや係止孔などに棚板支持用のブラケットを係止させる。
【０００３】
また、商品陳列棚の組立易さおよびコストの点から、前記商品支持部材として、鉄板などの金属板をプレスにより打抜き加工したものが広く用いられている。この金属板は、柵板や陳列する商品の種類に関わらず比較的薄い。
【０００４】
さらに、前記パネル壁は、複数枚の板材を上下方向または左右方向に並設したものからなり、その表面には、図形や模様などの意匠、化粧が施される場合がある（例えば、特許文献１参照）。
【特許文献１】特開平０６−２３７８２６号公報
【考案の開示】
【考案が解決しようとする課題】
【０００５】
しかしながら、このような金属板からなる商品支持部材を持った商品陳列棚にあっては、レールや係止孔に板状の陳列用ハンガーやブラケットを一端で係止させる構成となっているため、これらの支持状態が常に不安定であった。また、前記陳列用ハンガーやブラケットが、重量の大きい商品の荷重を受けて、あるいは組付け作業中の不注意などにより簡単に撓み変形し、レールや係止孔から脱落してしまう場合があるという問題があった。
【０００６】
また、前記陳列用ハンガーやブラケットのレールや係止孔に対する装着が迅速かつスムースに行い難いという不都合があった。さらに、前記パネル壁の上下縁が外側へ剥き出しになり、見栄えが悪いという問題があった。
【０００７】
本考案は、前記のような従来の問題を解決するものであり、陳列用ハンガーや棚板支持用のブラケットなどの商品支持部材を、前記レールや係止孔に代わる水平溝に対し迅速かつスムースに装着可能にするとともに、この装着時における商品支持部材の撓み変形を防止しながら、商品を安定的に陳列でき、加えてパネル壁の上下縁の見栄えを改善できる商品陳列装置を得ることを目的とする。
【課題を解決するための手段】
【０００８】
前記目的達成のために、本考案にかかる商品陳列装置は、前方に開口する複数の水平溝を持つパネル壁と、前記水平溝内に装着可能な直方形の係止ブロックを一端に持ち、前記装着時に前記パネル壁に対し水平に延びる商品支持部材と、を備える商品陳列装置であって、前記水平溝が、前記係止ブロック上部を案内する上部案内溝および該上部案内溝に連続して設けられ、前記係止ブロック上部の一角部が係止可能な係止溝と、前記係止ブロック上部の前記係止溝に対する係止時に、前記係止ブロック下端を収納可能状態にて支持する収納溝と、を備えることを特徴とする。
【０００９】
この構成により、商品支持部材に一体の係止ブロックの上部を水平溝の開口から上部案内溝に挿入し、さらに、係止ブロックの下部を開口から収納溝内に落し込むことにより、この係止ブロックの下部を収納溝に支持させた状態で、その係止ブロック上部の一角部を係止溝に自動的に係止させることができる。
このとき、係止ブロックは、係止溝と収納溝とにより姿勢が正立状態に保持される。このため、この係止ブロックに一体の棒状の商品支持部材は、パネル壁に対し水平に前方へ延出する状態になり、商品の吊持や商品を戴置する柵板の支持を可能にする。
【００１０】
また、本考案に係る商品陳列装置は、前記パネル壁の上縁に、トップカバーに設けられた一対のフック条または係止溝に嵌合可能な一対の係止溝またはフック条を備えることを特徴とする。
この構成により、フック条と係止溝との係合によって、トップカバーをパネル壁の上縁に簡単な操作で確実に装着することができる。
【００１１】
また、本考案に係る商品陳列装置は、前記パネル壁の下縁に、ボトムカバーに設けられた一対の係止溝またはフック条に嵌合可能な一対のフック条または係止溝を備えることを特徴とする。
この構成により、フック条と係止溝との係合によって、ボトムカバーの上にパネル壁の下縁を簡単な操作で確実に装着することができる。
【００１２】
また、本考案に係る商品陳列装置は、前記パネル壁の上縁および下縁に、このパネル壁の上部および下部に連設される他のパネル壁の一対のフック条または係止溝に嵌合可能な、一対の係止溝またはフック条を備えることを特徴とする。
この構成により、各パネル壁のフック条と係止溝との係合によって、パネル壁を上下方向に必要とする数だけ、簡単に繋ぎ足すことができる。このため必要とするサイズ（面積）のパネル壁を容易に組み付けることができる。
【考案の効果】
【００１３】
本考案は、パネル壁の前方に開口する複数の水平溝を、直方形の係止ブロックの上部を案内する上部案内溝およびこの上部案内溝に連続し、前記係止ブロック上部の一角部を係止可能にする係止溝と、前記係止ブロックの前記係止溝に対する係止時に、前記係止ブロック下端を収納可能に支持する収納溝と、から構成することにより、簡単な操作で、係止ブロックの水平溝に対する着脱がスムースに行える。また、その係止ブロックの下部を収納溝に支持させた状態では、その係止ブロック上部の一角部を係止溝に自動的に係止させることができ、商品の安定支持と見栄えを良好にすることができる。
【考案を実施するための最良の形態】
【００１４】
以下、本考案の実施形態による商品陳列装置につき、図面を参照して説明する。
本考案の実施形態の商品陳列装置を、図１に示す。図１は、この商品陳列装置を構成するパネル壁１０のみを示す。同図において、このパネル壁１０は、アルミなどの金属や合成樹脂などにより一体形成されている。前記パネル壁１０は、ベースパネル１１と、フロントパネル１２と、複数本の水平突条１３とを有する。
【００１５】
これらのうち、ベースパネル１１は、全体として平板状をなす。このベースパネル１１の上部には、このベースパネル１１を支柱や壁材に取り付けるねじネジを通すためのねじ挿通孔１４が、複数箇所に亘り設けられている。
【００１６】
このベースパネル１１の前面には、複数のリブ１５を介してフロントパネル１２が一体に設けられている。このため、ベースパネル１１、リブ１５およびフロントパネル１２間には空隙１６が形成される。リブ１５およびフロントパネル１２は、パネル壁１０を補強および軽量化するように機能する。
【００１７】
前記水平突条１３は、フロントパネル１２とリブ１５との結合部分から前方へ水平に突設されている。この結合部分は、他の部位に比べて肉厚に補強されている。また、上下一対の水平突条１３とこれらを繋ぐフロントパネル１２は、Ｃ型チャンネル構造を持つ。各水平突条１３間は、前方に開口１７を有する水平溝１８となっている。この水平溝１８に対し、後述の商品支持部材の係止ブロックが着脱自在に装着される。
【００１８】
各水平突条１３は略同一断面形状をなし、最上部の水平突条１３の上部付近には、第１係止溝１９および第１突条２０が所定間隔をおいて設けられている。最上部以外の水平突条１３には、第１係止溝１９は設けられない。最上部以外の水平突状１３には、第１突条２０との間に係止ブロック下部を収納するための収納溝２３を形成する突条２４が設けられている。
【００１９】
一方、各水平突条１３の下部には、前記係止ブロックの上部を案内する上部案内溝２１と、この上部案内溝２１に連続して、係止ブロック上部の一角部を係止するための係止溝（切欠）２２とが設けられている。なお、係止溝２２は係止ブロック上部の一角部を係止するために、断面が直角形の切欠となっている。上部案内溝２１は、係止ブロック上部が余裕をもって向きを変えることができる広さと形状を持つ。
【００２０】
最下部の水平突条１３の下部には、略Ｌ字形のフロントパネル１２が連接されている。この略Ｌ字形部分の各先端には、第１フック条２５および第２フック条２６が設けられている。これらのうち、第１フック条２５は、隣り合う他のパネル壁１０の前記第１係止溝１９に係合可能なサイズ、形状をなす。第２フック条２６は、隣り合う他のパネル壁１０の前記ベースパネル１１上端にある第２係止溝２７に係合可能なサイズ、形状をなす。
【００２１】
従って、複数枚のパネル壁１０を上方へ順次連結する場合には、図２に示すように、下部に配置されたパネル壁１０の第１係止溝１９に対し、上部に配置されるパネル壁１０の第１フック条２５を嵌合する。また、下部のパネル壁１０の第２係止溝２７に上部のパネル壁１０の第２フック条２６を嵌合する。このようにして、複数のパネル壁１０、１０を上方向に連設することで、垂直な壁面を拡大形成することができる。
【００２２】
図３は、前記パネル壁１０の上端に嵌挿されるトップカバー２８を示す斜視図である。このトップカバー２８は、全体として横長の棒状体をなし、矩形断面の空隙２９と、前記係止ブロックの上部が挿入可能な上部案内溝３０と、係止溝３１とを有する。前記空隙２９は、トップカバー２８の軽量化のために設けられている。前記係止溝３１は、上部案内溝３０に連続して、係止ブロックの一角部を係止するために設けられている。従って、上部案内溝３０は前記上部案内溝２１と、係止溝３１は前記係止溝２２と、それぞれ同一形状、サイズをなす。
【００２３】
また、トップカバー２８の厚み（幅）は、パネル壁１０の厚みに等しい。従って、トップカバー２８の前面は、水平突条１３と同一の垂直面内に位置する。
【００２４】
前記トップカバー２８の後方側（空隙２９の設置側）には、長短各一のフック条３２、３３が一体に垂下突設されている。これらのうち、短めのフック条３２の尖端部は、パネル壁１０上縁の前記係止溝２７に嵌合可能な形状、サイズをなす。長めのフック条３３の先端部は、パネル壁１０上縁の前記係止溝１９に嵌合可能な形状、サイズをなす。
【００２５】
図４は、前記パネル壁１０の下端に嵌挿されるボトムカバー３４を示す斜視図である。このボトムカバー３４は、全体として横長の棒状体をなし、略矩形断面の大型の空隙３５と、前記係止ブロックの下部を収納する収納溝３６を形成する突条３７とを備えている。前記空隙３５は、ボトムカバー３４の軽量化のために設けられている。
【００２６】
また、ボトムカバー３４の後面側（背面側）は起立条部３８となっており、この起立条部３８に複数箇所に亘ってねじ挿入孔３９が設けられている。この起立突条部３８の上端には、前記第２フック条２６に嵌合可能な係止溝４０が形成されている。前記収納溝３６に連続する部位には、前記第１フック条２５に嵌合可能な係止溝４１が形成されている。
【００２７】
ボトムカバー３４に設けられるねじ挿通孔３９およびパネル壁１０の上端部に設けられるねじ挿通孔１４は、これらの孔開け工程時に皿孔３９ａおよび１４ａとともに形成される。また、ボトムカバー３４の厚み（幅）は、パネル壁１０の厚みに形成されている。従って、このボトムカバー３４の前面は、水平突条１３の前面と同一の垂直面内に位置している。
【００２８】
図５は、支持具５０を示す斜視図である。この支持具５０は直方形状の前記係止ブロック５１と、この係止ブロック５１の一側面（前面）から水平に突設された棒状の商品支持部材５２とからなる。
【００２９】
これらの係止ブロック５１および商品支持部材５２は、金属材料や合成樹脂などにより一体形成され、または組み合わせて形成されている。係止ブロック５１は、前記パネル壁１０の前記開口１７から、水平溝１８内に容易に挿入できる厚み、高さを持つ。特に、この高さは、水平溝１８を構成する前記係止溝２２および収納溝２３に略密に嵌まり込むサイズとされる。
【００３０】
前記パネル壁１０に対するトップカバー２８およびボトムカバー３４の取付方法を説明する。トップカバー２８は、図３に示すように構成され、これの長短各一のフック条３２、３３を、パネル壁１０上端縁の第２係止溝２７と第１係止溝１９とにそれぞれ位置合わせを行った上で、互いに押圧することにより行われる。
【００３１】
この嵌合によって、トップカバー２８とパネル壁１０の最上部の水平突条１３との間に、前記係止ブロック５１の挿入が可能な水平溝が形成される。この水平溝は、前記各水平突条１３間に作られた前記水平溝１８と同一形状、サイズとなる。
【００３２】
前記ボトムカバー３４は、図４に示すように構成されており、最初にボトムカバー３４の下縁を壁面最下端に水平に合致させ、ねじ挿通孔３９に止めねじを通して、壁面に強固にねじ固定する。続いて、パネル壁１０を、これの上端部が壁面から離れる方向に前傾させ、係止溝４１に第１フック条２５を位置合わせし、パネル壁１０の端部を壁面側へ押す。続いて、係止溝４０に第２フック条２６を嵌合させ、壁面パネル１０のねじ挿入孔１４に止めねじを通して壁面に強固にねじ止めする。
【００３３】
この嵌合によって、ボトムカバー３４とパネル壁１０の最下部の水平突条１３との間に、前記係止ブロック５１の挿入が可能な水平溝が形成される。この水平溝は、前記各水平突条１３間に作られた水平溝１８と同一形状、サイズとなる。
【００３４】
また、前述のように、パネル壁１０上端縁の係止溝１９、２７は、図２に示すように、下端縁の各フック条２５、２６に嵌合可能な形状、サイズである。このため、これらの嵌合によって、同一構成のパネル壁１０を上方向に連結することができ、パネル壁１０面の拡大を図ることができる。
【００３５】
次に、このパネル壁１０の組立手順と、このパネル壁１０に商品支持部材５２を取り付ける手順を、説明する。
まず、前記ボトムカバー３４を壁面（または支柱。いずれも図示しない)の下部に水平に配置し、ねじ挿通孔３９を通し、止めねじをその壁面にねじ込む。ボトムカバー３４はその壁面に固定される。次に、パネル壁１０をこれの上部が壁面から離れる方向に前傾させ、この壁面に固定したボトムカバー３４の係止溝４１に、第１フック条２５を合致させる。次に、このパネル壁１０を壁面側へ押して、係止溝４０に第２フック条２６を嵌合させた上で、止めねじをねじ挿通孔３９を通すことによって、壁面にパネル壁１０を、ねじ止め固定する。なお、パネル壁１０を順に積み重ねることにより、所要の壁面高さを確保することができる。
【００３６】
これにより、パネル壁１０は支柱に対し垂直に固定される。次いで、このパネル壁１０の上部端縁にある第２係止溝２７および第１係止溝１９に、トップカバー２８のフック条３２、３３の各先端をそれぞれ嵌合する。これにより、パネル壁１０の上下端縁が、ボトムカバー３４およびトップカバー２８により化粧され、パネル壁１０の見栄えがよくなる。
【００３７】
次に、支持具５０を斜めにして、つまり商品支持部材５２を手で斜めに持つ。この状態で、係止ブロック５１の上部を、図６（ａ）に示すように、パネル壁１０の前記開口１７の斜め下方から上部案内溝２１内に差し込む。この差し込みを十分に行った状態で、商品支持部材５２の先端を下方へゆっくり下げる。このとき、図６（ｂ）に示すように、係止ブロック５１の下端縁を第１突条２０の上面を通過させる。これにより、その下端縁は収納溝２３内に入り込む。
【００３８】
そこで、商品支持部材５２から手を離す。すると、この係止ブロック５１の下端縁が収納溝２３内に完全に嵌まり込む。これにより、直方形状の係止ブロック５１の下端部は、収納溝２３から容易に外へ抜け出ずに、底部に落ち着く。また、、係止ブロック５１の一角部が係止溝２２に、図６（ｃ）に示すように自動的に嵌り込む。この状態では、商品支持部材５２はパネル壁１０に対して直角に交差する方向、つまり水平にパネル壁１０の前方へ延出する。
【００３９】
このとき、係止ブロック５１は上部の一角部が係止溝２２に保持され、商品支持部材５２が下方への力を受けても、これ以上傾くことがない。また、水平溝１８内で商品支持部材５２を中心とする円周方向にも、回転または回動することはない。このため、商品支持部材５２はパネル壁１０に確実かつ安定に水平支持される。
【００４０】
一方、この商品支持部材５０をパネル壁１０から取り外す場合には、商品支持部材５２を手で僅か持ち上げ、前記係止溝２２から係止ブロック５１の上端部を外し、以後前記とは逆の手順を実施すればよい。
なお、前記フック条２５、２６、３２、３３をそれぞれ係止溝とし、前記係止溝１９、２７、４０、４１をそれぞれフック条とする嵌合構造とすることは、任意であり、これによっても前記同様の嵌合が簡単かつ迅速に行える。
【００４１】
以上のように、上記実施の形態にあっては、前方に開口する複数の水平溝１８が、直方形の係止ブロック５１の上部を案内する上部案内溝２１および該上部案内溝２１に連続し係止ブロック５１上部の一角部を係止可能にする係止溝２２と、前記係止ブロック５１の係止溝２２に対する係止時に、係止ブロック５１下端を収納可能に支持する収納溝２３と、を備えることにより、商品支持部材５２に一体の係止ブロック５１の上部を水平溝１８の開口から上部案内溝２１に挿入し、さらに、係止ブロック５１の下部を開口１７から収納溝２３内に落し込むことにより、この係止ブロック５１の下部を収納溝２３に支持させた状態で、その係止ブロック５１上部の一角部を係止溝２２に自動的に係止させることができる。
従って、係止ブロック５１は水平溝１８内から容易に脱抜せず、安定保持される。これにより、パネル壁１０に対する支持具５０の保持が、安定化する。
【産業上の利用可能性】
【００４２】
本考案の商品陳列装置は、係止ブロック上部の一角部を係止溝に簡単な操作で係止させることができ、この係止ブロックを係止溝と収納溝とにより正立状態に保持させて、商品支持部材を、パネル壁に対し前方に向って水平に延出できる商品陳列装置等に有用である。
【図面の簡単な説明】
【００４３】
【図１】本考案の実施形態による商品陳列装置のパネル壁を示す斜視図である。
【図２】図１に示すパネル壁の連結構造を示す要部の端面図である。
【図３】本考案におけるトップカバーの要部を示す斜視図である。
【図４】本考案におけるボトムカバーの要部を示す斜視図である。
【図５】本考案における支持具を示す斜視図である。
【図６】本考案におけるパネル壁に対する商品支持装置の取り付け手順を示す工程図である。
【符号の説明】
【００４４】
１０  パネル壁
１７  開口
１８  水平溝
１９、４１  第１係止溝（係止溝）
２１、３０  上部案内溝
２２、３１  係止溝
２３、３６  収納溝
２５、３３  第１フック条（フック条）
２６、３２  第２フック条（フック条）
２７、４０  第２係止溝（係止溝）
２８  トップカバー
３４  ボトムカバー
５０  支持具
５１  係止ブロック
５２  商品支持部材
【図１】
0003117277.tif 000003
【図２】
0003117277.tif 000004
【図３】
0003117277.tif 000005
【図４】
0003117277.tif 000006
【図５】
0003117277.tif 000007
【図６】
0003117277.tif 000008